(57)【特許請求の範囲】
【請求項１】
マルチバンドステーションの周波数帯域間を切り替えるときにトラフィックストリームを管理する方法であって、
第１の周波数帯域で通信中に、チャネルの情報、周波数帯域および媒体アクセス制御アドレス（ＭＡＣアドレス）情報をリソース管理フレームの一部として含めることで、前記第１の周波数帯域でトラフィックストリームを作成する段階と、
第１のマルチバンドステーションと第２のマルチバンドステーションとの間で前記リソース管理フレームを交換することにより、通信承認を設定する段階と、
第２の周波数帯域に切り替える段階と、
前記第２の周波数帯域で前記トラフィックストリームを提供する段階と
を備える方法。
【請求項２】
前記作成する段階は、
前記マルチバンドステーションにトラフィックストリーム識別番号（ＴＳＩＤ）を提供する段階を有する請求項１に記載の方法。
【請求項３】
前記設定する段階は、
前記第２のマルチバンドステーションを宛先とするＡＤＤＴＳ要求フレームを送信する段階と、
前記第２のマルチバンドステーションの前記トラフィックストリームを第１の周波数帯域を有する第１のチャネルに設定する段階と
を有し、
前記ＡＤＤＴＳ要求フレームは、第２のチャネルの情報、前記第２の周波数帯域、および、前記第２の周波数帯域で利用される前記ＭＡＣアドレスを含む請求項１に記載の方法。
【請求項４】
前記ＡＤＤＴＳ要求フレームが前に送信されたものと同じチャネルおよび同じ周波数帯域で、前記第２のマルチバンドステーションからＡＤＤＴＳ応答フレームを受信する段階を備える請求項３に記載の方法。
【請求項５】
前に送信された前記ＡＤＤＴＳ要求フレームに含まれる第２のチャネルおよび第２の周波数帯域で、前記第２のマルチバンドステーションからＡＤＤＴＳ応答フレームを受信する段階を備える請求項３に記載の方法。
【請求項６】
前記設定する段階は、
前記第２のマルチバンドステーションを宛先とするＡＤＤＢＡ要求フレームを送信する段階と、
前記第２のマルチバンドステーションの前記トラフィックストリームを第１の周波数帯域を有する第１のチャネルに設定して、前記ＡＤＤＢＡ要求フレームが、前記第１のチャネルの情報、前記第１の周波数帯域、および、前記第１の周波数帯域で利用されるＭＡＣアドレスを含む段階と
を有する請求項１に記載の方法。
【請求項７】
前記ＡＤＤＢＡ要求フレームが前に送信されたものと同じチャネルおよび同じ周波数帯域で、前記第２のマルチバンドステーションからＡＤＤＢＡ応答フレームを受信する段階を備える請求項６に記載の方法。
【請求項８】
マルチバンドステーションであって、
少なくとも第１の無線機および第２の無線機と、
媒体アクセス制御プロセッサ（ＭＡＣプロセッサ）と
を備え、
前記第１の無線機は、第１のチャネルおよび第１の周波数帯域で動作し、前記第２の無線機は、第２のチャネルおよび第２の周波数帯域で動作し、
前記ＭＡＣプロセッサは、第１の周波数帯域で通信中に、チャネルの情報、周波数帯域および媒体アクセス制御アドレス（ＭＡＣアドレス）情報をリソース管理フレームの一部として含めることで、前記第１の周波数帯域でのトラフィックストリームの作成を開始し、当該マルチバンドステーションである第１のマルチバンドステーションと第２のマルチバンドステーションとの間でリソース管理フレームを交換することにより、通信承認を設定し、第２の周波数帯域に切り替え、前記第２の周波数帯域で前記トラフィックストリームを提供し、
前記トラフィックストリームは、前記第１のマルチバンドステーションと前記第２のマルチバンドステーションとの間のデータフローおよびストリームの少なくとも一方である
マルチバンドステーション。
【請求項９】
前記ＭＡＣプロセッサが通信承認を設定する処理は、
前記第２のマルチバンドステーションを宛先とするＡＤＤＴＳ要求フレームを送信する処理と、
前記第２のマルチバンドステーションの前記トラフィックストリームを第１の周波数帯域を有する第１のチャネルに設定する処理と
を有し、
前記ＡＤＤＴＳ要求フレームは、前記第２のチャネルの情報、前記第２の周波数帯域、および、前記第２の周波数帯域で利用される前記ＭＡＣアドレスを含む請求項８に記載のマルチバンドステーション。
【請求項１０】
前記ＭＡＣプロセッサが通信承認を設定する処理は、
前記ＡＤＤＴＳ要求フレームが前に送信されたものと同じチャネルおよび同じ周波数帯域で、前記第２のマルチバンドステーションからＡＤＤＴＳ応答フレームを受信する処理を有する請求項９に記載のマルチバンドステーション。
【請求項１１】
前記ＭＡＣプロセッサが通信承認を設定する処理は、
前に送信された前記ＡＤＤＴＳ要求フレームに含まれる第２のチャネルおよび第２の周波数帯域で、前記第２のマルチバンドステーションからＡＤＤＴＳ応答フレームを受信する処理を有する請求項９に記載のマルチバンドステーション。
【請求項１２】
前記ＭＡＣプロセッサが通信承認を設定する処理は、
前記第２のマルチバンドステーションを宛先とするＡＤＤＢＡ要求フレームを送信する処理と、
前記第２のマルチバンドステーションの前記トラフィックストリームを第１の周波数帯域を有する第１のチャネルに設定する処理と
を有し、
前記ＡＤＤＢＡ要求フレームは、前記第１のチャネルの情報、前記第１の周波数帯域、および、前記第１の周波数帯域で利用されるＭＡＣアドレスを含む請求項８に記載のマルチバンドステーション。
【請求項１３】
前記ＭＡＣプロセッサが通信承認を設定する処理は、
前記ＡＤＤＢＡ要求フレームが前に送信されたものと同じチャネルおよび同じ周波数帯域で、前記第２のマルチバンドステーションからＡＤＤＢＡ応答フレームを受信する処理を有する請求項１２に記載のマルチバンドステーション。
【請求項１４】
無線通信システムであって、
少なくとも１つのマルチバンドステーションを備え、
前記マルチバンドステーションは、
少なくとも第１の無線機および第２の無線機と、
前記第１の無線機に動作可能に連結された第１のフェーズアレイアンテナと、
前記第２の無線機に動作可能に連結された第２のフェーズアレイアンテナと、
媒体アクセス制御プロセッサ（ＭＡＣプロセッサ）と
を有し、
前記第１の無線機は、第１のチャネルおよび第１の周波数帯域で動作し、前記第２の無線機は、第２のチャネルおよび第２の周波数帯域で動作し、
前記ＭＡＣプロセッサは、第１の周波数帯域で通信中に、チャネルの情報、周波数帯域および媒体アクセス制御アドレス（ＭＡＣアドレス）情報をリソース管理フレームの一部として含めることで、前記第１の周波数帯域でのトラフィックストリームの作成を開始し、前記マルチバンドステーションである第１のマルチバンドステーションと第２のマルチバンドステーションとの間で前記リソース管理フレームを交換することにより、通信承認を設定し、第２の周波数帯域に切り替え、前記第２の周波数帯域で前記トラフィックストリームを提供する
無線通信システム。
【請求項１５】
前記ＭＡＣプロセッサが通信承認を設定する処理は、
前記第２のマルチバンドステーションを宛先とするＡＤＤＴＳ要求フレームを送信する処理と、
前記第２のマルチバンドステーションの前記トラフィックストリームを第１の周波数帯域を有する第１のチャネルに設定する処理と
を有し、
前記ＡＤＤＴＳ要求フレームは、前記第２のチャネルの情報、前記第２の周波数帯域、および、前記第２の周波数帯域で利用される前記ＭＡＣアドレスを含む請求項１４に記載の無線通信システム。
【請求項１６】
前記ＭＡＣプロセッサが通信承認を設定する処理は、
前記ＡＤＤＴＳ要求フレームが前に送信されたものと同じチャネルおよび同じ周波数帯域で、前記第２のマルチバンドステーションからＡＤＤＴＳ応答フレームを受信する処理を有する請求項１５に記載の無線通信システム。
【請求項１７】
前記ＭＡＣプロセッサが通信承認を設定する処理は、
前に送信された前記ＡＤＤＴＳ要求フレームに含まれる第２のチャネルおよび第２の周波数帯域で、前記第２のマルチバンドステーションからＡＤＤＴＳ応答フレームを受信する処理を有する請求項１５に記載の無線通信システム。
【請求項１８】
前記ＭＡＣプロセッサが通信承認を設定する処理は、
前記第２のマルチバンドステーションを宛先とするＡＤＤＢＡ要求フレームを送信する処理と、
前記第２のマルチバンドステーションの前記トラフィックストリームを第１の周波数帯域を有する第１のチャネルに設定する処理と
を有し、
前記ＡＤＤＢＡ要求フレームは、前記第１のチャネルの情報、前記第１の周波数帯域、および、前記第１の周波数帯域で利用されるＭＡＣアドレスを含む請求項１４に記載の無線通信システム。
【請求項１９】
前記ＭＡＣプロセッサが通信承認を設定する処理は、
前記ＡＤＤＢＡ要求フレームが前に送信されたものと同じチャネルおよび同じ周波数帯域で、前記第２のマルチバンドステーションからＡＤＤＢＡ応答フレームを受信する処理を有する請求項１８に記載の無線通信システム。
【発明の詳細な説明】
【背景技術】
【０００１】
ノートブック、ネットブック、デスクブックコンピュータ、携帯電話、携帯小型デバイス等の数多くのプラットフォームでは、異なる無線機を利用する無線ローカルエリアネットワーク（ＷＬＡＮ）デバイスおよびパーソナルエリアネットワーク（ＰＡＮ）デバイスが幅広く利用されている。ＷＬＡＮデバイスおよびＰＡＮデバイスには、例えばＢｌｕｅｔｏｏｔｈ（登録商標）（ＢＴ）およびＷｉＦｉトランシーバが含まれる。ＢＴトランシーバとＷｉＦｉトランシーバとは互いに、同じ周波数帯域（例えば２．４ＧＨｚ帯域）、または異なる周波数帯域で動作しうる。例えばＢＴトランシーバが２．４ＧＨｚ帯域で動作して、ＷｉＦｉトランシーバが５ＧＨｚ帯域で動作する、といったことが考えられる。
【０００２】
ＷＬＡＮデバイスおよびＰＡＮデバイスが利用可能な別の周波数帯域に、６０ＧＨｚ周波数帯域がある。ＷｉＦｉに準拠したデバイスは、２．５ＧＨｚ、５ＧＨｚ、および６０ＧＨｚという周波数帯域を利用することができる。多周波数帯域間をトランシーバが切り替えを行う際には、例えば６０ＧＨｚという１つの周波数帯域から、例えば５ＧＨｚ、２．４ＧＨｚといった他の周波数帯域へのトラフィックストリームの切り替え、多周波数帯域における効率的な並列処理、などが難しくなる。
【０００３】
本発明とみなす主題は、本明細書の最終部分で特に指摘し、明確に請求する。しかし本発明の動作構成および方法、その目的、特徴、利点は、以下の詳細な記載を添付図面とともに読むことで理解が深まる。
【図面の簡単な説明】
【０００４】
【図１】本発明の例示的な実施形態における無線通信ネットワークのステーションの概略図である。
【図２】本発明の例示的な実施形態における無線通信ネットワークの概略図である。
【図３】本発明の例示的な実施形態における、ＡＤＤブロック受領確認（ＡＤＤＢＡ）要求および応答フレームの概略図である。
【図４】本発明の例示的な実施形態における、図３のＡＤＤＢＡ要求および応答フレームのイーサネット（登録商標）タイプのフレームの送信クラス（ＴＣＬＡＳ）エレメントの概略図である。
【図５】本発明の例示的な実施形態におけるトラフィックストリームを切り替える方法のフローチャートの概略図である。
【図６】本発明の別の例示的な実施形態におけるトラフィックストリームを切り替える方法のフローチャートの概略図である。
【図７】本発明の一部の例示的な実施形態における、開始側においてトラフィックストリームを切り替える方法のフローチャートの概略図である。
【図８】本発明の例示的な実施形態における、受信側においてトラフィックストリームを切り替える方法のフローチャートの概略図である。
【発明を実施するための形態】
【０００５】
記載を簡潔且つ明確にする目的から、図面に示す部材は必ずしも実寸に即して描かれていない。例えば、部材の幾つかを他の部材よりも拡大表示して明確性を期している場合がある。さらに適切と思われる箇所においては、図面間で参照番号を繰り返すことで、対応する、または類似した部材であることを示している。
【０００６】
以下の詳細な記載においては、数多くの特定の詳細を述べて本発明の完全な理解を促している。しかし当業者であれば、本発明がこれら特定の詳細なしに実行可能であることを理解する。また、公知の方法、プロシージャ、コンポーネント、および回路については詳細な記載を省くことで、本発明を曖昧にしないようにしている箇所もある。
【０００７】
以下の詳細な記載の一部は、コンピュータメモリ内のデータビットまたはバイナリデジタル信号に対するアルゴリズムおよび処理の象徴的表現で表されている。これらアルゴリズムによる記載および表現は、データ処理技術分野の当業者が自身の仕事の実質を他の当業者に伝える際に利用する技術の１つである。
【０００８】
そうではないと明記しない限りにおいて、「処理（processing）」「コンピューティング（computing）」「計算（calculating）」「判断／決定（determining）」といった用語を利用する説明は明細書の随所に見られるが、これらは、特にそうではないと明記していない限りにおいて、コンピュータまたはコンピューティングシステム、あるいはこれに類似した電子コンピューティングデバイスの動作および／または処理に係るものであってよく、コンピューティングシステムのレジスタおよび／またはメモリの電子量等の物理量で表されるデータを、コンピューティングシステムのメモリ、レジスタ、または他の同様の情報格納、送信デバイス内の物理量として同様に表される他のデータへと操作および／または変換するもののことであってよい。また、本明細書で利用される単数形の名詞は、１つであっても、２つ以上であってもよい定義としてみなされることを意図している。本明細書で利用される「複数」という用語は、２つ、あるいは、３つ以上として定義される。本明細書で利用される「別の」という用語は、少なくとも２つ目以上の、という意味である。本明細書で利用される「含む（including）」および／または「有する（having）」といった用語は、「備える（comprising）」と定義されるが、これに限定はされない。本明細書で利用される「連結」という用語は、例えばソフトウェアにより、ハードウェアにより、またはその他の手段により、例えば機械的、電子的、デジタル的、直接的、といった任意の所望の形態で、動作可能なように接続されている様を示す。
【０００９】
本明細書で利用される「トラフィック」および／または「トラフィックストリーム」という用語は、ステーション（ＳＴＡ）等の無線デバイス間のデータフローおよび／またはストリームとして定義される。本明細書で利用される「セッション」という用語は、直接物理（ＰＨＹ）リンクが構築されている一対のステーションに維持されている状態情報として定義される。本明細書で利用される「高速セッション転送」（ＦＳＴ）という用語は、互いに通信するＳＴＡ両方の無線機が、通信を希望する周波数帯域で整合しているとき、チャネルからチャネルへとセッションを転送または移動させることを意味する。
【００１０】
本明細書で利用される「無線デバイス」という用語は、無線通信機能を有するデバイス、無線通信機能を有する通信デバイス、無線通信機能を有する通信ステーション、無線通信機能を有する携帯デバイスまたは固定デバイス等を含む。一部の実施形態では、無線デバイスは、コンピュータに集積される周辺部、コンピュータに取り付けられた周辺部であっても、これらを含んでもよい。一部の実施形態では、「無線デバイス」という用語は、オプションとして無線サービスを含んでもよい。
【００１１】
本発明の実施形態は、第１の周波数帯域から別の周波数帯域への遷移前、遷移中および遷移完了後に、トラフィックストリームを制御することができ、デバイスは、遷移先の別の周波数帯域において、または多周波数帯域においてアクティブである。本発明の一部の実施形態におけるこの解決法により、デバイス同士が例えば両方の周波数帯域で同じＭＡＣアドレスを有するようなトランスペアレントモードをカバーすることができ、本発明の他の実施形態では、通信デバイスのうち少なくとも１つが異なる周波数帯域で異なるＭＡＣアドレスを有するような非トランスペアレントモードを提供することができるが、本発明の範囲はこれらの例に限定はされない。
【００１２】
本発明は様々な用途に利用可能である。本発明はこの点に限定はされないが、ここで開示する回路および技術は、無線システムのステーションといった数多くの装置で利用可能である。本発明の範囲に含むことが意図されるステーションは、ほんの数例を挙げると、ワイヤレスローカルエリアネットワーク（ＷＬＡＮ）ステーション、ワイヤレスパーソナルネットワーク（ＷＰＡＮ）等である。
【００１３】
本発明の範囲に含まれることが意図される種類のＷＰＡＮステーションには、これらに限定はされないが、周波数ホッピング方式（ＦＨＳＳ）、直接拡散方式（ＤＳＳＳ）、コンプリメンタリ・コード・キーイング（ＣＣＫ）、直交周波数分割多重方式（ＯＦＤＭ）等のスペクトル拡散信号を送受信するモバイルステーション、アクセスポイント、ステーションが含まれる。
【００１４】
一部の実施形態は、ビデオデバイス、オーディオデバイス、オーディオ‐ビデオ（Ａ／Ｖ）デバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、放送ＨＤレシーバ、ビデオソース、オーディオソース、ビデオシンク、オーディオシンク、ステレオチューナ、放送ラジオレシーバ、ディスプレイ、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオアンプ、データソース、データシンク、デジタルスチルカメラ（ＤＳＣ）、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス、車両用デバイス、非車両用デバイス、モバイルまたはポータブルデバイス、家庭用デバイス、非モバイルまたは非ポータブルデバイス、無線通信ステーション、無線通信デバイス、無線アクセスポイント（ＡＰ）、有線または無線ルータ、有線または無線モデム、有線または無線ネットワーク、ワイヤレスエリアネットワーク、ワイヤレスビデオエリアネットワーク（ＷＶＡＮ）、ローカルエリアネットワーク（ＬＡＮ）、無線ＬＡＮ（ＷＬＡＮ）、ＰＡＮ、パーソナルエリアネットワーク（ＰＡＮ）、ワイヤレスＰＡＮ（ＷＰＡＮ）、既存のＷｉｒｅｌｅｓｓＨＤ（登録商標）および／またはワイヤレス・ギガビット・アライアンス（ＷＧＡ）仕様および／または将来のバージョンおよび／またはその派生物に従い動作するデバイスおよび／またはネットワーク、既存のＩＥＥＥ８０２．１１（ＩＥＥＥ８０２．１１-１９９９：ワイヤレスＬＡＮ媒体アクセス制御（ＭＡＣ）および物理層（ＰＨＹ）仕様）規格およびその修正版（「ＩＥＥＥ８０２．１１規格」）、ＩＥＥＥ８０２．１６規格、および／または、その将来のバージョンおよび／またはその派生物等に従い動作するデバイスおよび／またはネットワーク、および／または、上述したネットワークの一部であるユニットおよび／またはデバイス、一方向または双方向通信システム、セルラー方式無線移動電話通信システム、ワイヤレスディスプレイ（ＷｉＤｉ）デバイス、携帯電話、無線電話、パーソナル・コミュニケーション・システム（ＰＣＳ）デバイス、無線通信デバイス、モバイルまたはポータブルグローバルポジショニングシステム（ＧＰＳ）デバイスが組み込まれたＰＤＡデバイス、ＧＰＳレシーバまたはトランシーバまたはチップが組み込まれたデバイス、ＲＦＩＤ素子またはチップが組み込まれたデバイス、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１以上の内部アンテナおよび／または外部アンテナを有するデバイス、デジタルビデオ放送（ＤＶＢ）デバイスまたはシステム、マルチスタンダードの無線デバイスまたはシステム、有線または無線ハンドヘルドデバイス（ＢｌａｃｋＢｅｒｒｙ、Ｐａｌｍ  Ｔｒｅｏ等）、ワイヤレスアプリケーションプロトコル（ＷＡＰ）デバイス等の様々なデバイスおよびシステムと組み合わせて利用することができる。
【００１５】
一部の実施形態は、無線周波数（ＲＦ）、赤外線（ＩＲ）、周波数分割多重（ＦＤＭ）、直交周波数分割多重（ＯＦＤＭ）、時分割多重（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ）、ＣＤＭＡ２０００、シングルキャリアＣＤＭＡ、マルチキャリアＣＤＭＡ，マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、ウルトラワイドバンド（ＵＷＢ）、モバイル通信用のグローバルシステム（ＧＳＭ）、２Ｇ、２．５Ｇ、３Ｇ、３．５Ｇ、ＧＳＭエボリューション用の拡張データレート（ＥＤＧＥ）等の１以上の種類の無線通信信号および／またはシステムと組み合わせて利用することができる。他の実施形態も様々な他のデバイス、システム、および／またはネットワークで利用可能である。
【００１６】
一部の実施形態は、「ピコネット」（ワイヤレスエリアネットワーク、ＷＶＡＮ、ＷＰＡＮ等）の適切な、範囲の制限された、または短距離用の無線通信ネットワークと組み合わせた利用が可能である。
【００１７】
先ず図１を参照すると、本発明の例示的な実施形態において無線通信ネットワークのステーションが概略されている。本発明の実施形態においては、ステーション１００は、例えばアクセスポイント、ピコネットコントローラ（ＰＮＣ）、ステーション、開始側機器、応答側機器等の無線通信デバイスであってよい。ステーション１００は、例えばマルチバンドステーションであってよい。
【００１８】
本発明の例示的な実施形態においてステーション１００は、例えばマルチバンドステーションであってよい。ステーション１００は、例えば無線機Ａ１１０、無線機Ｂ１２０、無線機Ｃ１３０等の複数の無線機を含んでよい。各無線機Ａ１１０、無線機Ｂ１２０、無線機Ｃ１３０は、２以上のアンテナに動作可能に連結される。例えば無線機Ａ１１０は、アンテナ１６０および１６２に動作可能に連結されており、無線機Ｂ１２０はアンテナ１６４および１６６に動作可能に連結されており、無線機Ｃはアンテナ１６８および１７０に動作可能に連結されている。
【００１９】
無線機Ａ１１０、無線機Ｂ１２０、無線機Ｃ１３０は、無線機Ａ１１０に関して示すものと同様のアーキテクチャを有してよい。例えば各無線機は、多入力多出力（ＭＩＭＯ）コントローラ１１６および／またはビームフォーミングコントローラ、レシーバ（ＲＸ）１１２、およびトランスミッタ（ＴＸ）１１４を少なくとも含んでよいが、本発明の範囲はこの点に限定はされない。
【００２０】
さらに、本発明の一部の実施形態では、各無線機が、適宜、それぞれ異なる周波数帯域で動作することができる。例えば、無線機Ａ１１０は６０ＧＨｚ周波数帯域で動作してよく、無線機Ｂ１２０は５ＧＨｚ周波数帯域で動作してよく、無線機Ｃ１３０は２．４ＧＨｚ周波数帯域で動作してよいが、本発明の実施形態がこの例に限定されると理解されるべきではない。
【００２１】
ステーション１００はさらに、ＭＡＣブロック１４０およびメモリ１５０を含んでよい。ＭＡＣブロック１４０は、ＩＥＥＥ８０２．１１ＴＡＧａｄおよび／またはＩＥＥＥ８０２．１５．３ｃおよび／またはＷｉｒｅｌｅｓｓＨＤ（登録商標）および／またはＥＣＭＡ−３８７および／またはＩＳＯ／ＩＥＣ１３１５６：２００９および／またはＢｌｕｅｔｏｏｔｈ（登録商標）および／またはＷＧＡ仕様に従ってＭＡＣプロトコルを動作させることができる。
【００２２】
メモリ１５０は、揮発性メモリ、不揮発性メモリ、取り外し可能または取り外し不可能メモリ、消去可能または消去不可能メモリ、書き込み可能または書き換え可能メモ等を含んでよい。例えばメモリ１５０は、１以上のランダムアクセスメモリ（ＲＡＭ）、動的ＲＡＭ（ＤＲＡＭ）、ダブルデータレートＤＲＡＭ（ＤＤＲ−ＤＲＡＭ）、同期ＤＲＡＭ（ＳＤＲＡＭ）、静的ＲＡＭ（ＳＲＡＭ）、読み出し専用メモリ（ＲＯＭ）、プログラマブルＲＯＭ（ＰＲＯＭ）、消去可能ＲＯＭ（ＥＰＲＯＭ）、電気消去可能ＲＯＭ（ＥＥＰＲＯＭ）、ＣＤ−ＲＯＭ、書き込み可能ＣＤ（ＣＤ−Ｒ）、書き換え可能ＣＤ（ＣＤ−ＲＷ）、フラッシュメモリ（ＮＯＲまたはＮＡＮＤフラッシュメモリ）、コンテント・アドレッサブル・メモリ（ＣＡＭ）、ポリマーメモリ、相変化メモリ、強誘電メモリ、シリコン−酸化物−窒化物−酸化物−シリコン（ＳＯＮＯＳ）メモリ、ディスク、フロッピー（登録商標）ディスク、ハードドライブ、光学ディスク、磁気ディスク、カード、磁気カード、光学カード、テープ、カセット等を含んでよい。
【００２３】
一部の例示的な実施形態では、アンテナ１６０、１６２、１６４、１６６、１６８、および１７０は、例えば、フェーズドアレイアンテナ、内部および／または外部ＲＦアンテナ、ダイポールアンテナ、モノポールアンテナ、全方位アンテナ、エンドフェッドアンテナ、円偏光アンテナ、マイクロストリップアンテナ、ダイバーシティアンテナ、その他、無線通信信号、ブロック、フレーム、送信ストリーム、パケット、メッセージ、および／または、データの送信および／または受信に適した任意の種類のアンテナを含んでよいが、本発明の範囲はこれらの例に限定はされない。
【００２４】
図２は、本発明の例示的な実施形態において無線通信ネットワーク２００の概略図である。例えば無線通信ネットワーク１００は、ＩＥＥＥ８０２  ８０２．１１タスクグループａｄ（ＴＧａｄ）により開発された規格に従って、および／または、ＷＧＡ仕様に従って、および／または、ＩＥＥＥ８０２．１５．３ｃ規格に従って、および／または、ＷｉｒｅｌｅｓｓＨＤ（登録商標）仕様および／またはＥＣＭＡ−３８７規格等に従って動作することができる。
【００２５】
図２は無線ネットワーク２００の２つの状態を示している。状態Ａは、トラフィックストリームＩＤ（ＴＳＩＤ）２７０および２８０の切り替え前の状態であり、状態Ｂは、ＴＳＩＤ２７０および２８０の切り替え後の状態である。本発明の範囲はこれに限定はされないが、無線通信ネットワーク２００は、ステーションＡ２１０およびステーションＢ２４０を含んでよい。ステーションＡは、無線機Ａ２２０および無線機Ｂ２３０を含んでよく、ステーションＢは、無線機Ａ２５０および無線機Ｂ２６０を含んでよい。ここではステーション（ＳＴＡ）  Ａ２１０を開始側機器と称し、ＳＴＡ  Ｂ２４０を受信側機器と称する場合があるが、本発明の範囲はこの点に限定はされない。
【００２６】
本発明の一実施形態においては、ＳＴＡ  Ａ２１０およびＳＴＡ  Ｂ２４０アーキテクチャおよびコンポーネントは、必要に応じて図１のＳＴＡ１００のアーキテクチャおよびコンポーネントと類似したものであってよい。
【００２７】
動作においては、ＴＳＩＤ１およびＴＳＩＤ２の切り替え前に、ＳＴＡ  Ａ２１０およびＳＴＡ  Ｂ２２０は、ＳＴＡ  Ａ２１０の無線機Ａ２２０およびＳＴＡ  Ｂ２４０の無線機ＡがＴＳＩＤ１およびＴＳＩＤ２を送受信することにより、第１の周波数帯域（例えば６０ＧＨｚ）で動作してよい。この周波数帯域をアクティブ帯域と称し、無線機Ｂ２３０および無線機Ｂ２６０の周波数帯域をパッシブ帯域と称する場合もあるが、本発明の範囲はこの点に限定はされない。
【００２８】
＜切り替える前の状態＞
現在の周波数帯域で動作するＴＳＩＤ１およびＴＳＩＤ２を削除することなく、無線機Ａ  ２２０および無線機Ａ  ２５０がパッシブ帯域に切り替えられる前に、ＳＴＡ  Ａ２２０およびＳＴＡ  Ｂ  ２４０がＴＳ（例えばＴＳＩＤ１およびＴＳＩＤ２）を、アクティブ帯域で構築して、別の周波数帯域（例えば５ＧＨｚ）であってよいパッシブ帯域で動作することができる。
【００２９】
＜切り替えた後の状態＞
ＴＳＩＤ１およびＴＳＩＤ２をアクティブ帯域で構築した後で、ＳＴＡ  Ａ２１０およびＳＴＡ  Ｂ２４０は、銘々の無線機を切り替える（例えば、無線機Ａ２２０を無線機Ｂ２３０に切り替えたり、無線機Ａ２５０を無線機Ｂ２６０に切り替えたりする）ので、アクティブ帯域がパッシブ帯域になったり、パッシブ帯域がアクティブ帯域になったりする。ステーション間を切り替えた直後に、構築されたＴＳ（例えばＴＳＩＤ１およびＴＳＩＤ２）で動作が始まってよく、前の周波数帯域のＴＳＩＤ１およびＴＳＩＤ２が削除されてよいが、本発明の範囲はこの例に限定はされない。
【００３０】
本発明の別の実施形態においては、マルチバンドステーションＳＴＡ  Ａ２１０およびＳＴＡ  Ｂ２４０は、第１の周波数帯域で通信中に、チャネルの情報、周波数帯域の情報、およびＭＡＣアドレス情報を、リソース管理フレームの一部として含めることで、ＴＳを第１の周波数帯域で（例えば６０ＧＨｚ）で作成することで、マルチステーションの周波数帯域間を切り替えるときにトラフィックストリーム（ＴＳ）を管理することができる。ＳＴＡ  Ａ２１０およびＳＴＡ  Ｂ２４０は、第１のマルチバンドステーションおよび第２のマルチバンドステーション間（例えばＳＴＡ  Ａ２１０およびＳＴＡ  Ｂ２４０の間）でリソース管理フレームを交換することにより、通信承認を設定、構築、または作成することができる。例えばＳＴＡ  Ａ２１０は、ＳＴＡ  Ｂ２４０を宛先としてＡＤＤＴＳ要求（「トラフィックストリームの追加」）フレームを送ることができる。ＡＤＤＴＳ要求フレームは、新たなチャネルの情報、新たな周波数帯域（例えば５ＧＨｚ）、および新たな周波数帯域におけるＭＡＤアドレスを含んでよい。
【００３１】
本発明の１つの例示的な実施形態においては、ＳＴＡ  Ｂ２４０は、ＡＤＤＴＳ要求フレームが前に送信されたものと同じチャネルおよび同じ周波数帯域で、ＡＤＤＴＳ応答フレームを送信することができる。ＳＴＡ  Ａ２１０は、新たなチャネルおよび新たな周波数帯域に切り替えることなく、マルチバンドステーションＳＴＡ  Ｂ２４０にトラフィックストリーム識別番号（ＴＳＩＤ）を提供することにより、ＡＤＤＴＳ応答フレームを受信してよく、マルチバンドステーションＳＴＡ  Ｂ２４０を含むＴＳを設定および／または作成することができる。ＴＳを設定した後で、ＳＴＡ  Ａ２１０およびＳＴＡ  Ｂ２４０は、銘々の無線機を、ＡＤＤＴＳ要求および応答フレームが示す周波数帯域およびチャネルに切り替えることができ、これによりＴＳを新たな周波数帯域で供給することができるが、本発明の範囲はこれに限定されないことを理解されたい。
【００３２】
本発明の他の例示的な実施形態によると、ＳＴＡ  Ａ２１０およびＳＴＡ  Ｂ２４０は、前に送信したＡＤＤＴＳ要求フレームが示す新たなチャネルおよび新たな周波数帯域へと切り替えを行うことができる。ＳＴＡ  Ｂ２４０は、新たなチャネルおよび新たな周波数帯域でＡＤＤＴＳ応答フレームを送信することができる。ＳＴＡ  Ａ２１０は、ＡＤＤＴＳ応答フレームを受信してよく、マルチバンドステーションＳＴＡ  Ｂ２４０を有するＴＳを設定することができ、ＴＳを新たな周波数帯域で提供することができるが、本発明の範囲はこの実施形態に限定はされないことを理解されたい。
【００３３】
図３は、本発明の例示的な実施形態における、ＡＤＤブロック受領確認（ＡＤＤＢＡ）要求および応答フレームの概略図である。この例によると、ＡＤＤＢＡ要求フレーム３００は、これに限定はされないが、カテゴリ、アクション、ダイアログトークン、ブロック受領確認パラメータ、ブロック受領確認タイムアウト、ブロック受領確認、開始シーケンス番号（ＳＳＮ）、帯域ＩＤ（ＩＤ）、および、トラフィック分類（ＴＣＬＡＳ）という情報およびエレメントを含んでよい。ＡＤＤＢＡ応答フレーム３１０は、例えば、カテゴリ、アクション、ダイアログトークン、ブロック受領確認パラメータ、ブロック受領確認タイムアウト、ブロック受領確認ＳＳＮ、帯域ＩＤ、およびＴＣＬＡＳという情報を含んでいいが、本発明の範囲はこの点に限定はされない。
【００３４】
本発明の実施形態によると、例えばカテゴリおよびアクションフィールドは、それぞれＡＤＤＢＡ要求フレームおよびＡＤＤＢＡ応答フレームを識別するために利用することができる。ダイアログトークンは、ＡＤＤＢＡ要求に関するＡＤＤＢＡ応答（これらは両方とも同じダイアログトークンを含みうる）を識別するために利用することができる。ブロック受領確認パラメータは、ブロック受領確認処理およびＴＳＩＤについて割り当てられたバッファサイズを表していてよい。ブロック受領確認（ＢＡ）タイムアウトは、ＢＡアクティビティを維持するために利用することができる。ＳＳＮは、ＢＡの制御の元に送られた第１のフレームのシーケンス番号を表していてよい。ステータスコードは、ＡＤＤＢＡ交渉の結果（成功／不成功）を含みうる。上述したパラメータは特定の意味を有しなくてもよく、本発明の実施形態におけるＢＡ承認等に利用することもできる。
【００３５】
帯域ＩＤは、ＢＡ承認が処理されうる周波数帯域およびチャネルの情報という、帯域およびチャネルの情報を含みうる。ＡＤＤＢＡ要求および応答は、アクティブ帯域で行われてよいが、データは、パッシブ帯域で転送されてよいことを理解されたい。ＴＣＬＡＳは、パッシブ帯域で利用されうるＭＡＣアドレスを配信してよいが、本発明の範囲はこの点に限定はされない。
【００３６】
図４は、本発明の例示的な実施形態における、図３のＡＤＤＢＡ要求および応答フレームのイーサネット（登録商標）タイプのフレームの送信クラス（ＴＣＬＡＳ）エレメント３００の概略図である。本発明の範囲はこの点に限定はされないが、フレームは、分類子タイプフィールド４１０、分類子マスクフィールド４２０、送信元アドレス４３０、送信先アドレス４４０、タイプフィールド４５０、およびその他のフィールドを含んでよい。例えば分類子タイプフィールド４１０および分類子マスクフィールド４２０は、ＴＣＬＡＳが、パッシブ帯域で利用される送信元アドレスを含む、と表していてよいが、本発明の範囲はこの点に限定されない。
【００３７】
図５は、本発明の例示的な実施形態におけるトラフィックストリームを切り替える方法のフローチャートの概略図である。開始側装置（例えばＳＴＡ２２０）は、受信側装置（例えばＳＴＡ２４０）と、例えば６０ＧＨｚ周波数帯域というある周波数帯域で通信してよい。現在の周波数帯域で動作するＴＳを削除することなく、且つ、開始側装置の無線機が他の周波数帯域に切り替えられる前に、開始側装置は、この周波数帯域でＴＳを構築または作成して、別の周波数帯域（例えば５ＧＨｚ）で動作させることができる（テキストボックス５１０）。ＴＳを構築した後に、開始側装置は自身の無線機を例えば５ＧＨｚといった他の周波数帯域に切り替えてよく（テキストボックス５２０）、その直後に、構築されたＴＳで動作を開始してよい（テキストボックス５３０）。前の周波数帯域のＴＳを削除してよい（テキストボックス５４０）が、本発明の範囲はこの例に限定はされない。
【００３８】
図６は、本発明の別の例示的な実施形態におけるトラフィックストリームを切り替える方法のフローチャートの概略図である。開始側装置（例えばＳＴＡ２２０）は、受信側装置（例えばＳＴＡ２４０）と、例えば６０ＧＨｚ周波数帯域というある周波数帯域で通信してよい。現在の周波数帯域で動作するＴＳを削除することなく、且つ、開始側装置の無線機が他の周波数帯域に切り替えられる前に、開始側装置は、この周波数帯域でＡＤＤＢＡ要求を発行してよい（テキストボックス６１０）。開始側装置および応答側装置は、各々自身の無線機を別の周波数帯域(例えば５ＧＨｚ)に切り替えてよい（テキストボックス６２０）。応答側装置は、ＡＤＤＢＡ応答で応答してよく（テキストボックス６３０）、開始側装置および応答側装置は、構築されたＴＳの動作を開始させてよい（テキストボックス６４０）。方法は、前の周波数帯域のＴＳを削除することで終了してよい（テキストボックス６５０）が、本発明の範囲はこの例に限定されない。
【００３９】
図７は、本発明の一部の例示的な実施形態における、開始側においてトラフィックストリームを切り替える方法のフローチャートの概略図である。本発明の一実施形態では、「ＢＡ承認」は、ＢＡ制御の元にデータ交換を許可するＡＤＤＢＡ要求および応答の交換に成功した後の無線通信システムの状態を示す。
【００４０】
本発明の範囲はこの点に限定されないが、開始側装置は、所望するチャネルおよび周波数帯域（例えば６０ＧＨｚ周波数帯域）でＢＡ承認を構築することができる（テキストブロック７１０）。開始側装置のプロシージャ７００は、２つの処理方法を含んでよい。例えば、所望するチャネルおよび周波数帯域にＢＡ承認を構築した後に、開始側装置は、ＡＤＤＢＡ要求フレームの送信アドレス（ＴＡ）および／または受信アドレス（ＲＡ）フィールドが、ＢＡ承認が処理されるチャネルおよび周波数帯域でそれぞれ利用される、開始側装置のＭＡＣアドレス（例えばＳＴＡ２２０）と、および／または、受信側装置のＭＡＣアドレス（例えばＳＴＡ２４０）と異なっているかをチェックしてよい（ダイアモンド７２０）。チェックの結果が、上述した条件に整合する、という場合には、開始側装置は、ＡＤＤＢＡ要求フレーム３００の帯域ＩＤエレメントに含まれる帯域ＩＤエレメントが示す周波数帯域およびチャネルで利用される開始側装置のＭＡＣアドレスおよび受信側装置のＭＡＣアドレスに、ＴＣＬＡＳエレメント４００の送信元アドレスフィールド（例えば送信元アドレス４３０）および送信先アドレスフィールド（例えば送信先アドレス４４０）を設定してよい（テキストボックス７３０）。チェックの結果が、上述した条件に整合しないという場合には、開始側装置は、構築されたＢＡ承認に従ってＡＤＤＢＡ要求フレーム３００の帯域ＩＤエレメントに周波数帯域およびチャネルを、示し、または挿入してよく（テキストブロック７４０）、ＡＤＤＢＡ要求フレーム（例えばＡＤＤＢＡ要求フレーム３００）のＴＣＬＡＳＳエレメント４００を含まなくてよい（テキストブロック７５０）。
【００４１】
図８は、本発明の例示的な実施形態における、受信側においてトラフィックストリームを切り替える方法のフローチャートの概略図である。本例によると、受信側装置のプロシージャ（テキストボックス８００）は、所望されるチャネルおよび周波数帯域において構築されたＢＡ承認で動作してよい（テキストブロック８１０）。本発明の範囲はこの点に限定はされないが、受信側装置のプロシージャ８００は、２つの処理方法を含んでよい。例えば、受信側装置は、ＡＤＤＢＡ応答フレーム３１０の送信アドレス（ＴＡ）および／または受信アドレス（ＲＡ）フィールドが、受信側装置のＭＡＣアドレス（例えばＳＴＡ２４０）と、および／または、開始側装置のＭＡＣアドレス（例えばＳＴＡ２２０）とそれぞれ異なっているかをチェックしてよい（ダイアモンド８２０）。チェックの結果が、上述した条件に整合する、という場合には、受信側装置は、ＴＣＬＡＳＳエレメント４００の送信元アドレスフィールド４３０および送信先アドレス４４０を、応答フレームに含まれる帯域ＩＤエレメントに示される周波数帯域およびチャネルで利用される、受信側装置のＭＡＣアドレスおよび開始側装置のＭＡＣアドレスにそれぞれ設定してよい。例えば、示される周波数帯域およびチャネルが、ＡＤＤＢＡ要求フレーム３００の帯域ＩＤエレメントに示されている周波数帯域およびチャネルに等しくてよい（テキストブロック８４０）。
【００４２】
チェックの結果が、上述した条件（例えばダイアモンド８２０）に整合しないという場合には、受信側装置は、ＡＤＤＡＢ応答フレーム３１０に含まれている帯域ＩＤエレメントで、ＢＡ承認が動作しうる周波数帯域およびチャネルを示してよい（テキストボックス８３０）。例えば、示されている周波数帯域およびチャネルは、ＡＤＤＢＡ要求フレーム３００の帯域ＩＤエレメントが示す周波数帯域およびチャネルに等しくてよい。この例によると、ＴＣＬＡＳＳエレメント４００が、ＡＤＤＢＡ応答フレーム３１０に含まれてよいが（テキストボックス８３０）、本発明の範囲はこの点に限定されないことを理解されたい。
【００４３】
本発明の一実施形態においては、マルチバンドＢＡ構築について以下の例示的な規則を適用することができる（他の規則を適用することもできる）。（１）ＡＤＤＢＡ要求フレームのＴＡ  ＭＡＣアドレスおよび／ＲＡアドレスが、ＢＡ承認が処理されうる周波数帯域で利用されるそれぞれ開始側装置のＭＡＣアドレスおよび／または受信側装置のＭＡＣアドレスと異なっている場合には、開始側装置は、ＴＣＬＡＳエレメント４００に含まれている送信元アドレスフィールドおよび送信先アドレスフィールドをそれぞれ、ＡＤＤＢＡ要求フレーム（例えばＡＤＤＢＡ要求フレーム３００）に含まれる帯域ＩＤが示す周波数帯域で利用される開始側装置のＭＡＣアドレスおよび受信側装置のＭＡＣアドレスであるとアサートしてよい。（２）ＴＡおよびＲＡ  ＭＡＣアドレスが、開始側ＭＡＣアドレスおよび受信側ＭＡＣアドレスとそれぞれ等しい場合には、もしＡＤＤＢＡ要求フレームに帯域ＩＤが含まれていれば、これは、構築されたＢＡが動作される周波数を示すこととする。ＴＣＬＡＳエレメント４００は、このＡＤＤＢＡ要求フレーム３００に含まれていなくてもよい。（３）帯域ＩＤは、（２）ＡＤＤＢＡ要求フレーム３００が、ＢＡが処理されうるものと同じ周波数帯域で発行されないケースには、ＡＤＤＢＡ要求フレーム３００に含まれるべきではない。（４）ＡＤＤＢＡ応答フレーム３１０のＴＡ  ＭＡＣアドレスおよび／またはＲＡアドレスが、それぞれ、ＢＡ承認が処理されうる周波数帯域で利用される受信側装置のＭＡＣアドレスおよび／または開始側装置のＭＡＣアドレスと異なっている場合には、受信側装置は、ＴＣＬＡＳエレメント４００の送信元アドレスフィールド４３０および送信先アドレスフィールド４４０それぞれを、ＡＤＤＢＡ応答フレームに含まれる帯域ＩＤが示す周波数帯域で利用される受信側装置のＭＡＣアドレスおよび開始側装置のＭＡＣアドレスであるとアサートしてよい。示されている周波数帯域は、ＡＤＤＢＡ要求フレーム３００の帯域ＩＤが示す周波数帯域と等しくてよい。（５）ＴＡおよびＲＡ  ＭＡＣアドレスが、受信側ＭＡＣアドレスおよび開始側ＭＡＣアドレスとそれぞれ等しい場合には、もしＡＤＤＢＡ応答フレーム３１０に帯域ＩＤが含まれていれば、これは、構築されたＢＡが動作する周波数を示してよい。示されている周波数帯域は、ＡＤＤＢＡ要求フレーム３１０が示す帯域ＩＤが示す周波数帯域と等しくてよい。ＴＣＬＡＳエレメント４００は、このＡＤＤＢＡ応答フレーム３１０に含まれていなくてもよい。（６）帯域ＩＤエレメントは、（５）ＡＤＤＢＡ応答フレーム３１０が、構築されている場合にはＢＡと同じ周波数帯域で発行されているケースでは、ＡＤＤＢＡ応答フレーム３１０に含まれなくてよい。
【００４４】
本発明の本発明の実施形態は、プロセッサまたはコントローラにより実行されるとここで開示する方法を実行する命令を符号化する、含む、または格納する、メモリ、ディスクドライブ、またはＵＳＢフラッシュメモリ等の、コンピュータまたはプロセッサにより可読である媒体、またはコンピュータまたはプロセッサ格納媒体等の物品を含んでよい。
【００４５】
本発明の実行を特定の実施形態のコンテキストで記載してきた。これら実施形態は例示であり限定は意図していない。多くの変形例、変更例、追加、および改善が可能である。従って、複数のインスタンスをここでは単一のインスタンスとして記載している場合がある。また、様々なコンポーネント、処理、およびデータ格納装置の間の境界は比較的自由に決定されており、特定の処理が、特定の例における構成のコンテキストにおいて示されている。機能に関する他の分配方法も、以下の請求項の範囲に含まれることが意図されている。最後に、様々な構成における離散したコンポーネントとして提示されている構造および機能は、構造またはコンポーネントの組み合わせとして実行することもできる。これらの、またはその他の変形例、変更例、追加、および改善は、以下の請求項が定義する本発明の範囲に含まれることを意図している。
【図１】
0005174207.tif 000002
【図２】
0005174207.tif 000003
【図３】
0005174207.tif 000004
【図４】
0005174207.tif 000005
【図５】
0005174207.tif 000006
【図６】
0005174207.tif 000007
【図７】
0005174207.tif 000008
【図８】
0005174207.tif 000009